(57)【要約】【課題】削孔を行った後に削孔ビットの後端部に棒状部材を取り付けてこの削孔ビットから筒状部材を取り外すだけでよいため取り扱いが容易となり、かつ、掘削される穴の直径をできるだけ小さくすることができ、よって穴に注入されるセメントミルク等の硬化剤の量を減らすことができる削孔器具および削孔方法を提供する。【解決手段】削孔器具は、掘削機に取付可能となっており、掘削機に取り付けられたときに当該掘削機により打撃力および回転力が与えられる中空の筒状部材（例えば、パイプロッド１０）と、筒状部材に着脱自在に取り付けられ、先端側に複数の突起２２が設けられているとともに後端部には棒状部材が取付可能となっている削孔ビット２０とを備えており、削孔ビット２０の直径の大きさは筒状部材の直径の０．９倍乃至１．１倍の範囲内の大きさとなっている。【選択図】図２
2017203332.tif 000002
【特許請求の範囲】
【請求項１】
掘削機に取付可能となっており、前記掘削機に取り付けられたときに当該掘削機により打撃力および回転力が与えられる中空の筒状部材と、
前記筒状部材に着脱自在に取り付けられ、先端側に複数の突起が設けられているとともに後端部には棒状部材が取付可能となっている削孔ビットと、
を備え、
前記削孔ビットの直径の大きさは前記筒状部材の直径の０．９倍乃至１．１倍の範囲内の大きさとなっている、削孔器具。
【請求項２】
前記削孔ビットの前記後端部には、棒状部材の先端に設けられた雄ネジ部分が着脱自在に螺合される雌ネジ部分が設けられている、請求項１記載の削孔器具。
【請求項３】
前記筒状部材の先端には被取付部が設けられており、
前記削孔ビットの後端には前記被取付部に係合可能な取付部が設けられている、請求項１または２記載の削孔器具。
【請求項４】
前記筒状部材の直径の大きさが６０．５ｍｍ以下である、請求項１乃至３のいずれか一項に記載の削孔器具。
【請求項５】
互いに接続された２つの前記筒状部材を係合状態でロックするロック部が設けられている、請求項１乃至４のいずれか一項に記載の削孔器具。
【請求項６】
中空の筒状部材と、前記筒状部材に着脱自在に取り付けられ、先端側に複数の突起が設けられており、その直径の大きさは前記筒状部材の直径の０．９倍乃至１．１倍の範囲内の大きさとなっている削孔ビットとを有する削孔器具を用いた削孔方法であって、
前記削孔ビットが前記筒状部材に取り付けられている状態で掘削機により前記筒状部材に打撃力および回転力を与えることにより、前記筒状部材の直径と略同一の大きさの穴を掘削する工程と、
前記筒状部材の中空部分に棒状部材を挿入することにより、穴の最深部に残される前記削孔ビットの後端部に前記棒状部材を取り付ける工程と、
穴の最深部に残される前記削孔ビットから前記筒状部材を取り外す工程と、
を備えた、削孔方法。
【発明の詳細な説明】
【技術分野】
【０００１】
本発明は、地盤の補強用のロックボルトや鉄筋を埋設するために地盤を削孔する際に用いられる削孔器具およびこのような削孔器具を用いた削孔方法に関する。
【背景技術】
【０００２】
軟弱地盤の補強のためにロックボルトや鉄筋を埋設する方法が広く用いられている。具体的には、地盤に所定の深さの穴を掘削し、この穴にロックボルトや鉄筋等を挿入した状態でセメントミルク等の固化剤を注入して固化することにより、軟弱地盤の補強を行うようになっている。
【０００３】
ここで、地盤に所定の深さの穴を掘削し、この穴にロックボルトや鉄筋等を挿入する際に、従来では二重管掘りといわれる方法が用いられていた。このような二重管掘りの方法では、厚肉の外管の先端部にリングビットを設け、先端部にパイロットビットを設けたパイプロッドを外管の内部に挿通して、これらのパイロットビットおよびリングビットを用いて地盤に穴を掘削していた。そして、所定の深さの穴が掘削されると、パイプロッドをパイロットビットとともに引き抜き、代わりにロックボルトを挿入してセメントミルクを注入し、外管をリングビットとともに抜き取っていた。
【０００４】
しかしながら、このような二重管掘りの方法では、穴の掘削速度が遅く、また、パイプの構造が複雑で高価なものとなり、しかも作業に時間がかかるという問題点があった。このような問題点を改良するものとして、特許文献１、２等に開示される技術が知られている。
【０００５】
特許文献１には、穿孔用ビット本体の中央部に通孔を設け、この通孔を開閉自在な蝶番式の蓋ビットで覆蓋して穿孔を行う方法が開示されている。穿孔に際しては、穿孔用ビットをパイプロッドの先端部に取付け、このパイプロッドに打撃と回転と推力を与えつつ所定の深さの穴を穿孔する。所定の深さの穴が穿孔されたら、パイプロッドを少し後退させ、当該パイプロッド内に挿入した鉄筋、ボルト等で蓋ビットを前方へ押し開いて、該鉄筋等を突出させた状態として、パイプロッドを穿孔用ビットとともに抜き取り、鉄筋等を穴内に残留させる。このような特許文献１に開示される発明は、開閉式の穿孔用ビットを用いることにより、鉄筋等を穴内に残留させたまま穿孔用ビットをパイプロッドとともに抜き取って回収できるので、経済的であり、穿孔も能率よく行うことができる。しかしながら、蝶番式の蓋ビットを備えた穿孔用ビットは、構造的に複雑となりがちで、強度的な問題が生じるおそれがあると考えられる。
【０００６】
また、特許文献２には、中空構造で固化材との結合性を良くした外面を有する削孔ロッドの先端部に、外管の外径よりも若干大きい径を有するロストビットを螺着して所定の深さの孔を削孔し、その後、削孔ロッドの内孔を通して供給した固化材を削孔ロッドの排出口から排出して穴内に充填するとともに、ロストビットと削孔ロッドを穴内に残留させた状態で外管を引き抜く方法が開示されている。しかしながら、このような特許文献２に開示される発明は、ロストビットを装着した削孔ロッドと外管とで同時に削孔したのち、ロストビットをそのまま削孔ロッドに装着した状態で穴内に残留させるので、不経済であるという問題点がある。
【０００７】
これに対し、特許文献３には、二重管式の工法で効率よく鉄筋等を埋設することができ、穿孔用ビットは一部を除いて本体を回収できるようにすることができるような穿孔用ビットが開示されている。特許文献３に開示される穿孔用ビットは、ビット本体の先端中央部にロストビットを取り付けることのできる取付部が設けられており、当該取付部にロストビットを取り付けるとともに、ビット本体を外管であるパイプロッドに取り付けることにより、能率よく穿孔を行うことができるようになっている。
【先行技術文献】
【特許文献】
【０００８】
【特許文献１】特開２００２−２１３１７３号公報
【特許文献２】特開２００４−１３７７６０号公報
【特許文献３】特許第５２５６３８５号
【発明の概要】
【発明が解決しようとする課題】
【０００９】
特許文献３に開示される穿孔用ビットでは、ロストビットが取り付けられるビット本体（アウタービット）の直径の大きさがパイプロッドの直径よりも十分に大きいため、穿孔される穴の直径が比較的大きくなってしまう。これに対し、取り扱いが容易でありかつ穿孔される穴の直径ができるだけ小さくなるような削孔器具が求められている。具体的には、特許文献３に開示される穿孔用ビットにおいてパイプロッドの直径の大きさを例えば６０．５ｍｍ以下にすることが望まれている。しかしながら、このような穿孔用ビットにおいてパイプロッドの直径の大きさが６０．５ｍｍ以下であるときに、埋設されるべき鉄筋の最外径の大きさが例えば２５ｍｍである場合には、強度を確保するためにロストビットの直径を４５ｍｍ〜５０ｍｍよりも大きくしなければならず、このときには特許文献３に開示される穿孔用ビットにおいてビット本体（アウタービット）の製作が構造上困難であるという問題があった。
【００１０】
本発明は、このような点を考慮してなされたものであり、削孔を行った後に削孔ビットの後端部に棒状部材を取り付けてこの削孔ビットから筒状部材を取り外すだけでよいため取り扱いが容易となり、かつ、掘削される穴の直径をできるだけ小さくすることができ、よって穴に注入されるセメントミルク等の硬化剤の量を減らすことができる削孔器具および削孔方法を提供することを目的とする。
【課題を解決するための手段】
【００１１】
本発明の削孔器具は、掘削機に取付可能となっており、前記掘削機に取り付けられたときに当該掘削機により打撃力および回転力が与えられる中空の筒状部材と、前記筒状部材に着脱自在に取り付けられ、先端側に複数の突起が設けられているとともに後端部には棒状部材が取付可能となっている削孔ビットと、を備え、前記削孔ビットの直径の大きさは前記筒状部材の直径の０．９倍乃至１．１倍の範囲内の大きさとなっていることを特徴とする。
【００１２】
このような削孔器具によれば、削孔ビットの先端側に複数の突起が設けられているとともに後端部に棒状部材が取付可能となっているため、削孔を行った後に穴の最深部に残される削孔ビットの後端部に棒状部材を取り付けた後、この削孔ビットから筒状部材を取り外すだけでよいため取り扱いが容易となり、かつ、削孔ビットの直径の大きさが筒状部材の直径の０．９倍乃至１．１倍の範囲内の大きさとなっているため、掘削される穴の直径の大きさを筒状部材の直径の大きさと略同一とすることができ、よって削孔ビットの直径の大きさが筒状部材の直径よりも十分に大きい場合と比較して掘削される穴の直径をできるだけ小さくすることができる。より詳細には、筒状部材の直径の大きさを６０．５ｍｍ以下とすることができ、このため掘削される穴の直径も比較的小さくすることができる。このように、掘削される穴の直径が小さくなると、この穴に注入されるセメントミルク等の硬化剤の量を減らすことができる。また、特許第５２５６３８５号に開示される穿孔用ビットではパイプロッドの直径の大きさが６０．５ｍｍ以下であるときに埋設されるべき鉄筋の直径の大きさによってはビット本体（アウタービット）の製作が構造上困難になる場合があるが、本発明による削孔器具では削孔ビットを筒状部材に直接取り付けることによりビット本体（アウタービット）を設ける必要がないため、埋設されるべき鉄筋の直径の大きさにかかわらず筒状部材の直径の大きさを６０．５ｍｍ以下とすることができる。なお、削孔ビットの直径の大きさが筒状部材の直径の０．９倍乃至１．０５倍の範囲内の大きさとなっていることがより好ましく、削孔ビットの直径の大きさが筒状部材の直径の０．９５倍乃至１．０５倍の範囲内の大きさとなっていることが更に好ましい。これらの場合には、筒状部材の直径に対する削孔ビットの直径がより小さくなるため、掘削される穴の直径を更に小さくすることができる。
【００１３】
本発明の削孔器具においては、前記削孔ビットの前記後端部には、棒状部材の先端に設けられた雄ネジ部分が着脱自在に螺合される雌ネジ部分が設けられていてもよい。
【００１４】
本発明の削孔器具においては、前記筒状部材の先端には被取付部が設けられており、前記削孔ビットの後端には前記被取付部に係合可能な取付部が設けられていてもよい。
【００１５】
本発明の削孔器具においては、前記筒状部材の直径の大きさが６０．５ｍｍ以下であってもよい。
【００１６】
本発明の削孔器具においては、互いに接続された２つの前記筒状部材を係合状態でロックするロック部が設けられていてもよい。
【００１７】
本発明の削孔方法は、中空の筒状部材と、前記筒状部材に着脱自在に取り付けられ、先端側に複数の突起が設けられており、その直径の大きさは前記筒状部材の直径の０．９倍乃至１．１倍の範囲内の大きさとなっている削孔ビットとを有する削孔器具を用いた削孔方法であって、前記削孔ビットが前記筒状部材に取り付けられている状態で掘削機により前記筒状部材に打撃力および回転力を与えることにより、前記筒状部材の直径と略同一の大きさの穴を掘削する工程と、前記筒状部材の中空部分に棒状部材を挿入することにより、穴の最深部に残される前記削孔ビットの後端部に前記棒状部材を取り付ける工程と、穴の最深部に残される前記削孔ビットから前記筒状部材を取り外す工程と、を備えたことを特徴とする。
【００１８】
このような削孔方法によれば、削孔を行った後に穴の最深部に残される削孔ビットの後端部に棒状部材を取り付けた後、この削孔ビットから筒状部材を取り外すだけでよいため取り扱いが容易となり、かつ、削孔ビットの直径の大きさが筒状部材の直径の０．９倍乃至１．１倍の範囲内の大きさとなっているため、ため、掘削される穴の直径の大きさを筒状部材の直径の大きさと略同一とすることができ、よって削孔ビットの直径の大きさが筒状部材の直径よりも十分に大きい場合と比較して掘削される穴の直径をできるだけ小さくすることができる。より詳細には、筒状部材の直径の大きさを６０．５ｍｍ以下とすることができ、このため掘削される穴の直径も比較的小さくすることができる。このように、掘削される穴の直径が小さくなると、この穴に注入されるセメントミルク等の硬化剤の量を減らすことができる。
【発明の効果】
【００１９】
本発明の削孔器具および削孔方法によれば、削孔を行った後に削孔ビットの後端部に棒状部材を取り付けてこの削孔ビットから筒状部材を取り外すだけでよいため取り扱いが容易となり、かつ、掘削される穴の直径をできるだけ小さくすることができ、よって穴に注入されるセメントミルク等の硬化剤の量を減らすことができる。
【図面の簡単な説明】
【００２０】
【図１】本発明の実施の形態による削孔器具の構成を示す側面図である。
【図２】図１に示す削孔器具の縦断面図である。
【図３】図１に示す削孔器具における削孔ビットの正面図である。
【図４】図３に示す削孔ビットの側面図である。
【図５】図３に示す削孔ビットのＡ−Ｏ−Ａライン矢視による縦断面図である。
【図６】図３に示す削孔ビットの後端部を示す背面図である。
【図７】図３に示す削孔ビットの後端部に鉄筋等の棒状部材の雄ネジ部分が取り付けられたときの状態を示す縦断面図である。
【図８】図１に示す削孔器具においてパイプロッド同士を接続する前の状態を示す斜視図である。
【図９】図１に示す削孔器具においてパイプロッド同士を接続した後の状態を示す斜視図である。
【図１０】（ａ）〜（ｅ）は、図１に示す削孔器具を用いた削孔方法を順に示す縦断面図である。
【発明を実施するための形態】
【００２１】
以下、図面を参照して本発明の実施の形態について説明する。図１乃至図１０は、本実施の形態に係る削孔器具およびこのような削孔器具を用いた削孔方法を示す図である。このうち、図１は、本実施の形態による削孔器具の構成を示す側面図であり、図２は、図１に示す削孔器具の縦断面図である。また、図３は、図１に示す削孔器具における削孔ビットの正面図であり、図４は、図３に示す削孔ビットの側面図であり、図５は、図３に示す削孔ビットのＡ−Ｏ−Ａライン矢視による縦断面図である。また、図６は、図３に示す削孔ビットの後端部を示す背面図であり、図７は、図３に示す削孔ビットの後端部に鉄筋等の棒状部材の雄ネジ部分が取り付けられたときの状態を示す縦断面図である。また、図８は、図１に示す削孔器具においてパイプロッド同士を接続する前の状態を示す斜視図であり、図９は、図１に示す削孔器具においてパイプロッド同士を接続した後の状態を示す斜視図である。また、図１０（ａ）〜図１０（ｅ）は、図１に示す削孔器具を用いた削孔方法を順に示す縦断面図である。
【００２２】
図１や図２等に示すように、本実施の形態による削孔器具は、中空の筒状部材であるパイプロッド１０と、このパイプロッド１０の先端（具体的には、図１や図２における左側の端部）に着脱自在に取り付けられ、先端側に複数の刃体等の突起２２が設けられている削孔ビット２０とを備えている。ここで、パイプロッド１０の後端（具体的には、図１における右側の端部）はアダプター４０を介して掘削機（図示せず）に取付可能となっており、パイプロッド１０がアダプター４０を介して掘削機に取り付けられたときに当該掘削機により打撃力および回転力がパイプロッド１０に与えられるようになっている。このような削孔器具の各構成部材の詳細について以下に説明する。
【００２３】
上述したように、パイプロッド１０は中空の筒状部材からなり、このパイプロッド１０の先端側の内周面には雌ネジ部分等の被取付部１８が形成されており、この被取付部１８には、後述する削孔ビット２０の後端側に設けられた雄ネジ部分等の取付部２８が着脱自在に取り付けられるようになっている。また、パイプロッド１０の後端側の外周面には雄ネジ部分等の取付部１６が形成されており、この取付部１６は、掘削機に取り付けられたアダプター４０の先端側に設けられた雌ネジ部分等の被取付部４６に着脱自在に取付可能となっている。ここで、パイプロッド１０がアダプター４０を介して掘削機に取り付けられると、当該掘削機により打撃力および回転力がパイプロッド１０に与えられるとともに、このパイプロッド１０の中空部分に高圧エアもしくは高圧エアおよび水が掘削機からアダプター４０を介して供給され、この供給された高圧エアもしくは高圧エアおよび水は当該パイプロッド１０の先端に取り付けられた削孔ビット２０の吐出孔２６（後述）から吐出されるようになっている。また、本実施の形態による削孔器具により掘削される穴が深く、複数のパイプロッド１０を直列につなげる場合には、図８および図９に示すように、あるパイプロッド１０の一端側に設けられた取付部１６を、他のパイプロッド１０の他端側に設けられた被取付部１８に取り付けることができるようになっている。なお、図８は、図１に示す削孔器具においてパイプロッド１０同士を接続する前の状態を示す斜視図であり、図９は、図１に示す削孔器具においてパイプロッド１０同士を接続した後の状態を示す斜視図である。また、パイプロッド１０の外周面における被取付部１８の近傍には、パイプロッド１０同士が接続されたときにこれらのパイプロッド１０を棒状のロックピン５０により係合状態でロックするための２つのロック穴１９が形成されている。パイプロッド１０同士を接続した後に各ロック穴１９にロックピン５０を通すことにより、一方のパイプロッド１０に対して他方のパイプロッド１０が回転してしまうことを防止することができるようになる。本実施の形態では、これらのロック穴１９およびロックピン５０により、互いに接続された２つのパイプロッド１０を係合状態でロックするロック部が構成されている。
【００２４】
図２等に示すように、削孔ビット２０はその後端面が開口するような中空形状のものとなっており、この削孔ビット２０の後端側の外周面には、パイプロッド１０の先端側に設けられた雌ネジ部分等の被取付部１８に着脱自在に取付可能な雄ネジ部分等の取付部２８が設けられている。また、図３および図４に示すように、削孔ビット２０の側面には６つの削孔粉粒（切削屑）の排出溝２４が設けられている。図３に示すように、各排出溝２４は円弧形状となっている。
【００２５】
また、削孔ビット２０の先端面２０ａには、例えば超硬チップから形成される刃体等の突起２２が複数設けられている。より詳細には、削孔ビット２０の周縁部の近傍では、先端面２０ａを削孔ビット２０の後端側（すなわち、図４における下側）に傾斜させることにより傾斜面２０ｂを形成している。そして、図３に示すように、複数の突起２２のうち一部の突起２２は先端面２０ａに設けられ、別の一部の突起２２は傾斜面２０ｂに設けられている。ここで、各突起２２は溶接または黄銅ろう付けによって削孔ビット２０の先端面２０ａや傾斜面２０ｂに取り付けられるようになっている。あるいは削孔ビット２０の本体部分および各突起２２が鋳造により一体的に製造されるようになっていてもよい。
【００２６】
また、削孔ビット２０の先端面２０ａには、当該削孔ビット２０の後端に取り付けられたパイプロッド１０から供給される高圧エアもしくは高圧エアおよび水を吐出するための吐出孔２６が設けられている。
【００２７】
また、図６および図７に示すように、削孔ビット２０の中空部分における奥側の内周面には、ロックボルトや鉄筋等の棒状部材３０の雄ネジ部分が着脱自在に螺合される雌ネジ部分２９が形成されている。このことにより、削孔ビット２０の後端部にロックボルトや鉄筋等の棒状部材３０を着脱自在に取り付けることができるようになる。
【００２８】
また、本実施の形態では、削孔ビット２０の直径の大きさはパイプロッド１０の直径の０．９倍乃至１．１倍の範囲内の大きさとなっており、好ましくは、削孔ビット２０の直径の大きさはパイプロッド１０の直径の０．９倍乃至１．０５倍の範囲内の大きさとなっており、更に好ましくは、削孔ビット２０の直径の大きさはパイプロッド１０の直径の０．９５倍乃至１．０５倍の範囲内の大きさとなっている。ここで、図１乃至図７に示すような構成の削孔器具では、削孔ビット２０の直径の大きさはパイプロッド１０の直径と略同一の大きさとなっている。しかしながら、本実施の形態ではこのような態様に限定されることはなく、削孔ビット２０の直径の大きさがパイプロッド１０の直径よりもわずかに小さくなっていたり、あるいは削孔ビット２０の直径の大きさがパイプロッド１０の直径よりもわずかに大きくなっていたりしてもよい。このように、削孔ビット２０の直径の大きさがパイプロッド１０の直径の０．９倍乃至１．１倍の範囲内の大きさとなっている場合には、本実施の形態による削孔器具により掘削される穴の直径の大きさをパイプロッド１０の直径の大きさと略同一とすることができ、よって削孔ビット２０の直径の大きさがパイプロッド１０の直径よりも大きい場合と比較して掘削される穴の直径をできるだけ小さくすることができる。より詳細には、本実施の形態では、パイプロッド１０の直径の大きさを６０．５ｍｍ以下とすることができ、このため掘削される穴の直径も比較的小さくすることができる。また、特許第５２５６３８５号に開示される穿孔用ビットではパイプロッドの直径の大きさが６０．５ｍｍ以下であるときに埋設されるべき鉄筋の直径の大きさによってはビット本体（アウタービット）の製作が構造上困難になる場合があるが、本実施の形態では削孔ビット２０をパイプロッド１０に直接取り付けることによりビット本体（アウタービット）を設ける必要がないため、埋設されるべきロックボルトや鉄筋等の棒状部材３０の直径の大きさにかかわらずパイプロッド１０の直径の大きさを６０．５ｍｍ以下とすることができる。なお、削孔ビット２０の直径の大きさがパイプロッド１０の直径の１．０５倍以下の大きさとなっている場合には、掘削される穴の直径を更に小さくすることができる。
【００２９】
また、パイプロッド１０はアダプター４０を介して掘削機に取り付けられるようになっており、掘削機によってパイプロッド１０に打撃力および回転力が与えられることによりこのパイプロッド１０の先端に取り付けられた削孔ビット２０によって地盤に穴が掘削されるようになっている。ここで、アダプター４０の先端側の内周面には、パイプロッド１０の後端側に設けられた雄ネジ部分等の取付部１６が取り付けられる雌ネジ部分等の被取付部４６が形成されている。また、アダプター４０の内部には、パイプロッド１０が取り付けられたときに当該パイプロッド１０の中空部分に掘削機から高圧エアもしくは高圧エアおよび水を送るための通路４２が形成されている。
【００３０】
次に、このような削孔器具を用いて地盤を削孔する動作について図１０（ａ）〜図１０（ｅ）に示す図を用いて説明する。
【００３１】
まず、パイプロッド１０の先端に削孔ビット２０を取り付けるとともに、このパイプロッド１０の後端をアダプター４０により掘削機に取り付ける。そして、図１０（ａ）に示すように、掘削機によってパイプロッド１０に打撃力および回転力を与えることによりパイプロッド１０の先端に取り付けられた削孔ビット２０によって地盤に穴を掘削する。この際に、掘削機からアダプター４０の通路４２を介してパイプロッド１０の中空部分に高圧エアもしくは高圧エアおよび水が供給されることにより削孔ビット２０の吐出孔２６から地盤に向かって高圧エアもしくは高圧エアおよび水が吐出されるようになる。また、本実施の形態による削孔器具により掘削される穴が深い場合には、図８および図９に示すように複数のパイプロッド１０を直列につなげていく。具体的には、パイプロッド１０の先端に取り付けられた削孔ビット２０によって当該パイプロッド１０の長さ分の穴が掘削される度に、別のパイプロッド１０を直列に順次つなげていく。この際に、パイプロッド１０同士を接続した後に各ロック穴１９にロックピン５０を通すことにより、一方のパイプロッド１０に対して他方のパイプロッド１０が回転してしまうことを防止することができるようになり、よってパイプロッド１０同士が外れてしまうことを防止することができるようになる。
【００３２】
本実施の形態による削孔器具によって所定の深さの穴が地盤に掘削されると、パイプロッド１０の後端から掘削機を取り外し、代わりにロックボルトや鉄筋等の棒状部材３０を先端側のパイプロッド１０の中空部分に挿入する（図１０（ｂ）参照）。そして、図１０（ｃ）に示すように、地盤に掘削された穴の最深部に残される削孔ビット２０の後端部に棒状部材３０の先端を取り付ける。具体的には、棒状部材３０の先端に設けられた雄ネジ部分を削孔ビット２０の後端部に設けられた雌ネジ部分２９に螺合させる。その後、図１０（ｄ）に示すように、パイプロッド１０の先端を削孔ビット２０から取り外す。具体的には、棒状部材３０を作業者が手動で回転させることにより、先端側のパイプロッド１０から削孔ビット２０を取り外すようにする。なお、作業者が手動で棒状部材３０を回転させても先端側のパイプロッド１０から削孔ビット２０が外れない場合には、掘削機に取り付けられた図示しない別のアダプター（例えば、鉄筋用アダプター）に棒状部材３０に取り付け、掘削機で棒状部材３０を叩いて回すようにする。また、上述したように、各ロック穴１９にロックピン５０を通すことにより、一方のパイプロッド１０に対して他方のパイプロッド１０が回転してしまうことがないため、先端側のパイプロッド１０から削孔ビット２０を取り外す際に、先端側のパイプロッド１０が他のパイプロッド１０から外れてしまうことを防止することができる。その後、地盤に掘削された穴から全てのパイプロッド１０を完全に取り出すようにする（図１０（ｅ）参照）。このようにして、地面に掘削された穴にロックボルトや鉄筋等の棒状部材３０が挿入された状態とすることができるようになり、本実施の形態の削孔器具を用いた削孔動作が完了する。
【００３３】
以上のような構成からなる本実施の形態の削孔器具およびこのような削孔器具を用いた削孔方法によれば、パイプロッド１０（筒状部材）に着脱自在に取り付けられる削孔ビット２０の先端側に複数の突起２２が設けられているとともに後端部にはロックボルトや鉄筋等の棒状部材３０が取付可能となっており、また、削孔ビット２０の直径の大きさはパイプロッド１０の直径の０．９倍乃至１．１倍の範囲内の大きさとなっている。このように、削孔ビット２０の先端側に複数の突起２２が設けられているとともに後端部にパイプロッド１０が取付可能となっているため、削孔を行った後に削孔ビット２０の後端部に棒状部材３０を取り付けてこの削孔ビット２０からパイプロッド１０を取り外すだけでよいため取り扱いが容易となり、かつ、削孔ビット２０の直径の大きさがパイプロッド１０の直径の０．９倍乃至１．１倍の範囲内の大きさとなっているため、掘削される穴の直径の大きさをパイプロッド１０の直径の大きさと略同一とすることができ、よって削孔ビット２０の直径がパイプロッド１０の直径よりも十分に大きい場合と比較して掘削される穴の直径をできるだけ小さくすることができる。このことにより、パイプロッド１０の直径の大きさを６０．５ｍｍ以下とすることができ、このため掘削される穴の直径も比較的小さくすることができる。このように、掘削される穴の直径が小さくなると、この穴に注入されるセメントミルク等の硬化剤の量を減らすことができる。
【００３４】
とりわけ、本実施の形態の削孔器具では、削孔ビット２０の直径の大きさがパイプロッド１０の直径と略同一の大きさとなっていることが好ましい。この場合には、掘削される穴の直径の大きさをパイプロッド１０の直径の大きさと略同一とすることができるとともに、このような直径の穴を削孔ビット２０により確実に掘削することができるようになる。
【００３５】
また、本実施の形態の削孔器具においては、上述したように、削孔ビット２０の後端部には、棒状部材３０の先端に設けられた雄ネジ部分が着脱自在に螺合される雌ネジ部分２９が設けられている。この場合には、作業者は削孔ビット２０の後端部に棒状部材３０の先端を容易に着脱することができるようになる。
【００３６】
また、本実施の形態の削孔器具においては、上述したように、パイプロッド１０の先端には被取付部１８が設けられており、削孔ビット２０の後端には被取付部１８に係合可能な取付部２８が設けられている。この場合には、作業者はパイプロッド１０の先端に削孔ビット２０を容易に着脱することができるようになる。
【００３７】
また、本実施の形態の削孔器具においては、上述したように、互いに接続された２つのパイプロッド１０を係合状態でロックするロック部としてロック穴１９およびロックピン５０が設けられている。このようなロック部が設けられていることにより、一方のパイプロッド１０に対して他方のパイプロッド１０が回転してしまうことがないため、先端側のパイプロッド１０から削孔ビット２０を取り外す際に、先端側のパイプロッド１０が他のパイプロッド１０から外れてしまうことを防止することができる。
【００３８】
なお、本実施の形態による削孔器具やこのような削孔器具を用いた削孔方法は、上述したような態様に限定されることはなく、様々な変更を加えることができる。
【００３９】
例えば、削孔ビット２０の後端部にロックボルトや鉄筋等の棒状部材３０を取付可能とするにあたり、削孔ビット２０の後端部に雌ネジ部分２９を設ける代わりに、ロックボルトや鉄筋等の棒状部材３０の先端が挿入されるとこの先端が固定されるような挿入穴を設けてもよい。この場合にも、地盤に掘削された穴の最深部に残される削孔ビット２０の後端部に棒状部材３０を取り付けることができるようになる。
【００４０】
また、削孔ビット２０として、傾斜面２０ｂが設けられていないようなものが用いられてもよい。この場合には、全ての突起２２が削孔ビット２０の本体部分の先端面２０ａに設けられるようになる。また、削孔ビット２０の更に他の例として、側面に削孔粉粒（切削屑）の排出溝２４が設けられていないような形状のものが用いられてもよい。
【符号の説明】
【００４１】
１０    パイプロッド
１６    取付部
１８    被取付部
１９    ロック穴
２０    削孔ビット
２０ａ  先端面
２０ｂ  傾斜面
２２    突起
２４    排出溝
２６    吐出孔
２８    取付部
２９    雌ネジ部分
３０    棒状部材
４０    アダプター
４２    通路
４６    被取付部
５０    ロックピン
【図１】
2017203332.tif 000003
【図２】
2017203332.tif 000004
【図３】
2017203332.tif 000005
【図４】
2017203332.tif 000006
【図５】
2017203332.tif 000007
【図６】
2017203332.tif 000008
【図７】
2017203332.tif 000009
【図８】
2017203332.tif 000010
【図９】
2017203332.tif 000011
【図１０】
2017203332.tif 000012